(57)【要約】フォトカウンティングＸ線ＣＴ（Photon Counting CT）の性能向上にはピクセルの微細化，回路デッドタイムの低減，散乱線やチャージシェアリングの処理が重要である。また，回路数が増加することから回路当たりの消費電力の削減が重要である。このような制約のもとに散乱線処理を実施する回路を提供する。各ピクセル（９）にその近傍の他のピクセル（９）において同時に放射線が検出されたか否かを判定する回路（２３）を含み，その判定結果に基づき放射線のカウントを行うカウンタ（２４）を切り替える。この結果をもとに非同時イベントのカウントを主に，同時カウントに関しては補正を実施してから再構成データに用いる。
2016158501.tif 000002
【特許請求の範囲】
【請求項１】
放射線を検出する複数の検出器ピクセルを備える放射線検出器と，
前記放射線検出器が出力する信号に基づいて前記検出器ピクセルが放射線を検出した際のエネルギーを計測するエネルギー計測回路と，
放射線の検出数を計数する複数のカウンタと，
前記放射線の検出の際に前記検出器ピクセルの近傍の他の検出器ピクセルにおいて放射線を同時に検出したか否かを判定する同時判定回路と，
前記同時判定回路における同時判定の有無と前記エネルギー計測回路におけるエネルギーとに基づいて，前記カウンタの増加の動作を制御するカウンタ制御回路と，
前記カウンタの値を用いて画像再構成を行うデータ処理装置とを備える
ことを特徴とする放射線撮像装置。
【請求項２】
請求項１に記載の放射線撮像装置であって，
前記複数のカウンタは，前記近傍の他の検出器ピクセルとの同時計数，非同時計数のカウンタを，エネルギーの区分ごとに持ち，それぞれのカウント値をもとに画像再構成を行う
ことを特徴とする放射線撮像装置。
【請求項３】
請求項１に記載の放射線撮像装置であって，
前記複数のカウンタは，前記近傍の他の検出器ピクセルとの同時計数，非同時計数のカウンタ，および同時，非同時に関係なく計数するカウンタの３つをエネルギーの区別ごとに持ち，それぞれのカウント値をもとに画像再構成を行う
ことを特徴とする放射線撮像装置。
【請求項４】
請求項１に記載の放射線撮像装置であって，
前記エネルギー計測回路と前記カウンタと前記カウンタ制御回路とで，前記検出器ピクセルの個々に対応する個々の読出し回路ブロックを構成し，
近傍の前記読出し回路ブロック間に同時判定を実施する前記同時判定回路を備える
ことを特徴とする放射線撮像装置。
【請求項５】
請求項４に記載の放射線撮像装置であって，
同時計数のカウンタを前記読出し回路ブロックの組合せごとに持つ
ことを特徴とする放射線撮像装置。
【請求項６】
請求項５に記載の放射線撮像装置であって，
同時計数のカウンタのうち，コリメータの影の部分とそれ以外の部分の計数を分離して集計し，計数率の誤差を補正すること
ことを特徴とする放射線撮像装置。
【請求項７】
請求項１に記載の放射線撮像装置であって，
前記検出器ピクセルが２次元的に配置されている
ことを特徴とする放射線撮像装置。
【請求項８】
請求項７に記載の放射線撮像装置であって，
前記エネルギー計測回路，前記同時判定回路，前記カウンタ制御回路，および，前記検出器ピクセルに接続されるチャージアンプを含んで計測回路が構成され，
前記計測回路は，自身に隣接する他の４つの計測回路を前記近傍として判定を行う
ことを特徴とする放射線撮像装置。
【請求項９】
請求項１に記載の放射線撮像装置であって，
前記カウンタ制御回路は，前記カウンタの増加の動作を制御する際の計数値の増加量を同時判定の結果に基づいて変更する
ことを特徴とする放射線撮像装置。
【請求項１０】
請求項１に記載の放射線撮像装置であって，
前記カウンタ制御回路は，前記カウンタの増加の動作を制御する際の計数値の増加量を，同時判定回路が同時と判定した検出器ピクセルの個数の逆数となる重みにより算出する
ことを特徴とする放射線撮像装置。
【請求項１１】
請求項１に記載の放射線撮像装置であって，
前記エネルギー計測回路は，閾値の異なる複数のコンパレータを有し，
前記同時判定回路は，前記閾値が最も低いコンパレータの出力をトリガとして前記同時か否かの判定を開始する
ことを特徴とする放射線撮像装置。
【請求項１２】
請求項２に記載の放射線撮像装置であって，
前記それぞれのカウント値をもとに画像再構成を行うに際して，
前記同時計数のカウンタのカウント値に１未満の値の重みを乗算し，乗算後の前記カウント値と前記非同時計数のカウンタのカウント値との総和を求めることで前記非同時計数のカウンタのカウント値を補正すること， 
ことを特徴とする放射線撮像装置。
【請求項１３】
放射線を検出する複数の検出器ピクセルを備える放射線検出器が出力する信号に基づいて前記検出器ピクセルが放射線を検出した際のエネルギーを計測するエネルギー計測回路と，
放射線の検出数を計数する複数のカウンタと，
前記放射線の検出の際に前記検出器ピクセルの近傍の他の検出器ピクセルにおいて放射線を同時に検出したか否かを判定する同時判定回路と，
前記同時判定回路における同時判定の有無と前記エネルギー計測回路におけるエネルギーとに基づいて，前記カウンタの増加の動作を制御するカウンタ制御回路と，
前記カウンタの値を用いて画像再構成を行うデータ処理装置へ送信するデータを前記カウンタから収集するデータ収集回路とを備える
ことを特徴とする放射線計数装置。
【請求項１４】
放射線を検出する複数の検出器ピクセルを備える放射線検出器と，
前記放射線検出器が出力する信号に基づいて前記検出器ピクセルが放射線を検出した際のエネルギーを計測するエネルギー計測回路と，
放射線の検出数を計数する複数のカウンタと，
前記放射線の検出の際に前記検出器ピクセルの近傍の他の検出器ピクセルにおいて放射線を同時に検出したか否かを判定する同時判定回路と，
前記カウンタの増加の動作を制御するカウンタ制御回路と，
前記カウンタの値を用いて画像再構成を行うデータ処理装置とを備える
放射線撮像装置における放射線撮像方法であって，
前記カウンタ制御回路は，
前記同時判定回路における同時判定の結果に基づき，同時判定ではなければ前記複数のカウンタのうちの非同時計数のカウンタのカウント値を増加させ，同時判定であれば，前記複数のカウンタのうちの同時計数のカウンタのカウント値の値を増加させる
ことを特徴とする放射線撮像方法。
【請求項１５】
請求項１４に記載の放射線撮像方法において，
前記カウンタ制御回路は，前記カウント値の増加に際して，非同時計数のカウント値よりも同時計数のカウント値の増加量が小さくなるように増加量を調整する
ことを特徴とする放射線撮像方法。
【発明の詳細な説明】
【技術分野】
【０００１】
本発明は，放射線のカウント値に基づいて画像を再構成する放射線撮像装置などに関する。
【背景技術】
【０００２】
Ｘ線ＣＴ装置はＸ線管から発生したＸ線が被検者の体を透過した際の減衰から被検体の断層像を求める装置であり，検出器の各ピクセルで個々のＸ線のエネルギーを区別して検出するフォトンカウンティングと呼ばれる手法が提案されている。【０００３】
Ｘ線による撮像においては核医学用の検査などと比べると放射線の発生数が多く，検出器における計数率が高くなる。このため，検出器ピクセルを小さくすることでピクセル当たりの計数率を下げる必要がある。通常のＸ線ＣＴの検出器では約１ｍｍピッチで検出器が並ぶが，光子の数を計数するフォトンカウンティングＣＴ（Photon counting CT）では０．５ｍｍから０．０５ｍｍピッチと検出器を微細化する必要がある。しかし，検出器ピクセルが微細化するとＸ線の検出の際に，特性Ｘ線の発生やコンプトン散乱などにより複数の検出器ピクセルに分割して検出される現象や，Ｘ線により発生した電子雲が２つのピクセルにまたがるチャージシェアリングなどが発生する。これらの現象が起きると，本来１つの高いエネルギーとして検出されるべきイベントが２つの低いエネルギーのイベントとして観測されてしまう。このような誤検出は画像を劣化させるため，誤検出除去を行う必要がある。【０００４】
このような誤検出を検知する方法として，特許文献１としてあげられるような検出器内での散乱線の処理手法がある。この様な手法により検出器内で分割された信号を処理することができる。
【先行技術文献】
【特許文献】
【０００５】
【特許文献１】特開２００８−８９３８４号公報
【発明の概要】
【発明が解決しようとする課題】
【０００６】
しかし，特許文献１はＰＥＴ（Positron Emission Computed Tomography）に関するものであり，Ｘ線ＣＴのようにＰＥＴよりも放射線の入射レートが高い場合，処理に要する時間がかかり，デッドタイムが増加することになる。
また，Ｘ線ＣＴに用いる半導体検出器の場合，ピクセルを電極分割により形成するため，信号検出中に隣接ピクセルに誘起電荷が一時的に発生するといった問題が生じる。このため従来のピークを足し合わせる手法では本来の値よりも高い信号が検出されるといった問題が生じる。【０００７】
以上のような従来技術の課題に鑑み，本発明は，より適切に放射線（光子）を計数できる放射線撮像装置などを提供することを課題とする。
【課題を解決するための手段】
【０００８】
上記課題を解決するために，個々のピクセル内において，その近傍の検出器（ピクセル）を監視し，近傍の検出器において同時に計数したか否かを判定し，エネルギーの高い方のデータを用いて画像再構成用のデータ取得を実施する。より具体的には，放射線を検出する複数の検出器ピクセルを備える放射線検出器と，前記放射線検出器が出力する信号に基づいて前記検出器ピクセルが放射線を検出した際のエネルギーを計測するエネルギー計測回路と，放射線の検出数を計数する複数のカウンタと，前記放射線の検出の際に前記検出器ピクセルの近傍の他の検出器ピクセルにおいて放射線を同時に検出したか否かを判定する同時判定回路と，前記同時判定回路における同時判定の有無と前記エネルギー計測回路におけるエネルギーとに基づいて，前記カウンタの増加の動作を制御するカウンタ制御回路と，前記カウンタの値を用いて画像再構成を行うデータ処理装置を備えることを特徴とする放射線撮像装置である。
その他の課題を解決するための手段は，後記する発明の実施の形態にて図面を参照して明らかにする。
【発明の効果】
【０００９】
本発明によれば，より適切に放射線（光子）を計数できる放射線撮像装置などを提供することが可能となった。
【図面の簡単な説明】
【００１０】
【図１】本発明の第１実施例における装置の一例を示す図である。
【図２】本発明の第１実施例における検出器パネルの構成例を示す図である。
【図３】本発明の第１実施例における検出器モジュールの構成例を示す図である。
【図４】本発明の第１実施例における回路の構成例を示す図である。
【図５】本発明の第１実施例における判定フローを示す図である。
【図６】本発明の第１実施例におけるイベントの発生例を示す図である。
【図７】本発明の第１実施例における図６に対応したイベントの処理例を示す図である。
【図８】本発明の第２実施例における回路の構成を示す図である。
【図９】本発明の第３実施例における回路の構成を示す図である。
【発明を実施するための形態】
【００１１】
以下に本発明の放射線撮像装置および放射線計数装置における散乱線判定の実施形態（以下「実施例」という）を，図面を用いて説明する。また，放射線撮像方法を併せて説明する。
【００１２】
＜第１実施例＞
本発明の第１実施例の放射線撮像装置，放射線計数装置および放射線撮像方法（検出器内での散乱線を考慮した散乱線処理方法）を，図１から図７を用いて説明する。図１は本実施例における装置であるＸ線ＣＴ装置Ｓの一例を示したものである。
【００１３】
図１に示すように，本実施例のＸ線ＣＴ装置（フォトンカウンティングＸ線ＣＴ装置）Ｓは，ガントリ１と，収集されたデータを処理・画像再構成するデータ処理装置２と処理された画像を表示する画像表示装置３を含んでなる。ガントリ１にはベッド４が付属しており，被検者５を保持する。ベッド４はガントリ１の開口部に向けて水平移動し，被検者５をガントリ１内に移動させる。
【００１４】
ガントリ１内にはＸ線管６と検出器パネル７が対向して配置されている。Ｘ線管６と検出器パネル７は被検者５の周囲を対向した状態で秒間１から３回程度，回転しており，被検者５の各方向からの投影画像を取得する。Ｘ線管６は１００ｋＶ程度の高電圧によって電子を加速するものである。電子を高電界により加速しターゲットに当てることでＸ線を発生させる。発生したＸ線は被検者５を透過し検出器パネル７に到達する。このときＸ線の強度は被検者５により減衰するので，その減衰量を知ることで体内の情報を取得することができる。エネルギーによる減衰量の違いを知るためにＸ線管の電圧や，発生量を制御する電流を変化させることが行われる。
【００１５】
図２は，検出器パネルの構成例を示す図であるが，検出器パネル７は実際には図２に示すように複数の検出器ピクセル９によって構成された検出器モジュール８を並べたものである。検出器モジュール８は中心がＸ線管６の位置となる円弧上に配置されている。図示しないが検出器モジュール８のＸ線管６に向いた面にはＸ線が被検者５の体内で散乱した散乱Ｘ線を除去するためのコリメータが取り付けられている。
【００１６】
検出器モジュール８の構成（構造）を，図３を用いて説明する。検出器モジュール８は保持基板１２上に複数のＡＳＩＣ（Application Specific Integrated Circuit）１１が搭載されたものである。ＡＳＩＣ１１はボンディングワイヤーにて基板に接続され，電源の供給や制御が行われる。ＡＳＩＣ１１の表面には検出器１０と接続するためのパッドが設けられており，検出器１０がそのパッドを介して接続される。検出器１０の電極ピッチはＡＳＩＣ１１の電極ピッチと同ピッチで製造され，１つの検出器ピクセル９が１つの読出し回路２０（後記の図４参照）に接続される。ＡＳＩＣ１１と検出器１０の接続には半田や導電性接着剤などを用いる。また，接着強度を確保するため，アンダーフィルなどの非導電性の接着剤を電極部以外に用いてもよい。なお，ＡＳＩＣ１１は画像再構成用のＸ線（放射線）を計数する「放射線計数装置」に相当する。また，読出し回路ブロック２０は「計測回路」に相当する。
【００１７】
検出器１０は背景技術のものと同様にＣｄＴｅまたはＣｄＺｎＴｅでできており，半導体素子の対向する２つの面に電極が形成されている。例えば半導体素子の一方の面は面全体に電極が形成されており，Ｘ線と半導体素子との相互作用に基づいて発生する電荷収集のために対向する電極間に高電圧を印加する。半導体素子の逆の面の電極はパターニングによってピクセル化されており，つまり各検出器ピクセル９を構成するようにされており電荷信号を読み出す。両電極は金や白金を用いて形成される。検出器の辺の長さは１０から２０ｍｍ程度であり，フォトンカウンティングＣＴを踏まえた０．５ｍｍのピクセルであれば２０から４０ピクセルが一列に並び，それが平面的に配置されるため１つの素子に数百から数千ピクセルが形成されている。検出器ピクセル９の形状は四角のものを多数並べることが一般的であるが，例えば，サイズの違う複数の素子を並べることや，散乱線除去用のグリッド位置（コリメータの位置）に合わせてピクセルのサイズを変えることも可能である。素子の厚さはＸ線を検出するのに十分な厚さを備えており，医療用の装置では２ｍｍ程度の厚さを持つ。
【００１８】
検出器１０をＡＳＩＣ１１よりも大きくし，十分な厚さを持たせることでＡＳＩＣ１１に放射線（Ｘ線）が当たることを防ぎＡＳＩＣ１１がＸ線によりダメージを受けることを防ぐことが望ましい。また，検出器１０の外周部分にはガードリングを設けることで，素子沿面のリーク電流がＡＳＩＣ１１の検出回路に流れないようにするほか，平行電界に近づける効果を得ることができる。なお，図３では，作図の都合上，検出器１０よりもＡＳＩＣ１１の方が大きく図示されている。
【００１９】
放射線計数装置としてのＡＳＩＣ１１の回路について，回路構成例を示す図４を用いて説明する。ＡＳＩＣ１１は検出器１０で発生した検出器ピクセル９ごとの電荷を電気信号に変換し，その大きさに基づいてデータを収集するものである。図４に示すように，ＡＳＩＣ１１は複数の読出し回路ブロック２０とデータ収集回路２５を含んでなる。図中では読出し回路ブロック２０は一列にだけ並んでいるが（１次元的に示しているが），実際には縦横に読出し回路ブロック２０が並んでいる（後記する図６の並びに対応して並んでいる）。もちろん，読出し回路ブロック２０の並びは検出器ピクセル９の構造（並び）に一致することが配線の長さの短縮化かつ長さの均一化の点で好ましく，検出器ピクセル９の配置に合わせて読出し回路ブロック２０側の並びも変更される。ちなみに本実施例では後記するように数ｎｓｅｃオーダでの信号処理を行っているので，配線の短縮化と長さの均一化が望まれる。なお，長さの均一化とは検出器ピクセル９と読出し回路ブロック２０間の配線の距離がどの検出器ピクセル９と読出し回路ブロック２０の組合せでも同じにすることをいう。
【００２０】
検出器ピクセル９は読出し回路ブロック２０内のチャージアンプ２１に接続される。チャージアンプ２１はフィードバック容量を用いて電荷信号を電圧信号に変換する。検出器ピクセル９は反応したＸ線のエネルギーに比例した電荷を発生させるため，チャージアンプ２１の出力波高もエネルギーに比例したものとなる。図示しないがフィードバック容量に電荷が溜まり続けることを防ぐため，電荷をリセットするスイッチを設けるか，抵抗によりたまった電荷を放電させる。
【００２１】
チャージアンプ２１の出力は複数のコンパレータ２２（２２ａ，２２ｂ）に接続される。コンパレータ２２ａとコンパレータ２２ｂはそれぞれ違う電圧を比較対象としており，閾値を超えた際にトリガ信号を発生させる。コンパレータ２２ｂの閾値を高く，コンパレータ２２ａの閾値を低くすることで，エネルギーが低い場合はコンパレータ２２ａのみトリガを発生し，エネルギーが高い場合はコンパレータ２２ａとコンパレータ２２ｂの両方がトリガを発生させる。本実施例ではコンパレータは２つとしているが，より多くのコンパレータ２２を用いてエネルギーの測定を行ってもよい。また，エネルギーの測定方法としてＡＤＣ（Analog-to-Digital Converter）を用いた上で，エネルギーウインドウごとのカウント値（計数値）を求めるためにデジタル回路での比較を実施してもよい。閾値を調整することで，特定のエネルギーウインドウに入ったＸ線イベントをカウント（計数）することができる。なお，コンパレータ２２は検出器ピクセル９がＸ線（放射線）を検出した際のエネルギーを計測する「エネルギー計測回路」に相当する。
【００２２】
コンパレータ２２の出力は，同時判定回路２３ａとカウンタ制御回路２３ｂを備える制御回路２３に接続される。この制御回路２３は自身が属する読出し回路ブロック２０内のコンパレータ２２以外にも，近傍の他の読出し回路ブロック２０内のコンパレータ２２の出力も受ける（「近傍」の範囲については図７を参照して後記する）。制御回路２３はこれらのコンパレータ２２の出力の条件によりカウンタ２４を制御しカウントを進める。複数のカウンタ２４が制御回路２３に接続されており，例えば読出し回路ブロック２０内のコンパレータが２つの場合，２種類のエネルギーウインドウ，ならびに，同時計数および非同時計数の組み合わせで，図４に示されるように，計４つのカウンタ２４を持つ。
【００２３】
具体的には，図４の例ではコンパレータ２２は閾値が異なるコンパレータ２２ａ（低閾値）とコンパレータ２２ｂ（高閾値）の２つであるので，エネルギーウインドウも高低２つである。つまり４つあるカウンタ２４は，そのうちの２つが非同時計数のエネルギーウインドウ１（低エネルギー）のカウンタ２４とエネルギーウインドウ２（高エネルギー）のカウンタ２４である。図４では，カウンタ２４の枠中に「Ｎ＿Ｌ」（非同時_低）と「Ｎ＿Ｈ」（非同時_高）と記載している。また，残り２つが同時計数のエネルギーウインドウ１（低エネルギー）のカウンタ２４とエネルギーウインドウ２（高エネルギー）のカウンタ２４である。図４では，カウンタ２４の枠中に「Ｃ＿Ｌ」（同時_低）と「Ｃ＿Ｈ」（同時_高）と記載している。なお，「Ｎ」はNon-Coincidence（非同時）の略であり，「Ｃ」はCoincidence（同時）の略である。ちなみに，読出し回路ブロック２０内のコンパレータ２２が４つに増えると，カウンタ２４の数は８つとなる。なお，この実施例での制御回路２３は，前記のように，同時判定を行う同時判定回路２３ａとカウンタ２４の制御を行うカウンタ制御回路２３ｂを備える。
【００２４】
データ収集回路２５は外部からの制御信号に応じて，カウンタ２４のカウント値をデータ処理装置２に転送する。装置内には複数のデータ収集回路２５が存在している。このため，それらを調停する回路（図示省略）を介してデータが転送される。また，データ収集回路２５は読み出し後にカウンタ２４の値をリセットする。
【００２５】
図５は判定フローであるが，第１実施例の制御回路２３の動作について図５を用いて説明する。制御回路２３は読出し回路ブロック２０内のコンパレータ２２の出力をトリガとして動作する（ステップＳ１）。制御回路２３の同時判定回路２３ａはトリガを受信すると一定の時間（タイムウインドウの間），例えば５ｎｓｅｃの間，近傍のチャンネル（近傍の読出し回路ブロック２０）においてトリガが発生しているか否かをチェックする（ステップＳ２）。一定の時間（タイムウインドウ）を取るのは発生電荷量や電荷発生位置によりトリガの発生時間が揺らぐためであり，この揺らぎの範囲内で最小の時間を判定時間とすることが望ましい。近傍で同時イベント（トリガ）が発生していない場合（ステップＳ３→Ｎｏ），制御回路２３のカウンタ制御回路２３ｂは自身の読出し回路ブロック２０における波高値を測定し，信号のエネルギーウインドウを確定する（ステップＳ４）。これはトリガを発生させているコンパレータ２２ａ，２２ｂのうち，最も高い閾値を持つものの値を用いる。このようにして，コンパレータ２２の数と同じ値のエネルギーウインドウに分類できる。ちなみに，図５ではエネルギーウインドウを「ＥＷ」と省略して記載している。
【００２６】
なお，２つのコンパレータ２２はコンパレータ２２ａの方が閾値が低いので，閾値が高いコンパレータ２２ｂよりもコンパレータ２２ａの方が早くトリガを発生する。このため，本実施例では，コンパレータ２２ａの出力をトリガとする。もちろん，コンパレータ２２ｂの出力をトリガとして採用してもよいが，コンパレータ２２ｂの出力をトリガとした場合，閾値の違いからコンパレータ２２ａが出力してもコンパレータ２２ｂは出力しないときがあるのでコンパレータ２２ａの出力をトリガとするのがよい。ちなみに，同時判定回路２３ａは，コンパレータ２２ａの出力をトリガとして同時判定の処理を行う。
【００２７】
カウンタ制御回路２３ｂは，測定されたエネルギーウインドウが確定すると（ステップＳ４），それに応じたエネルギーウインドウのカウンタ２４に１を加算する。この例では非同時計数のカウンタ２４（Ｎ＿ＬかＮ＿Ｈ）を進める（ステップＳ５）。例えば閾値の低いコンパレータ２２ａのみトリガを発生し，閾値の高いコンパレータ２２ｂはトリガを発生させない場合，エネルギーウインドウは１と測定できる。この場合，ステップＳ５では非同時計数のエネルギーウインドウ１（Ｎ＿Ｌ）のカウンタ２４に加算を行う（Ｎ＿Ｌ⇒＋１）。もし，閾値が高いコンパレータ２２ｂでもトリガを発生した場合は，ステップＳ５では非同時計数のエネルギーウインドウ２（Ｎ＿Ｈ）のカウンタ２４に加算を行うが（Ｎ＿Ｈ⇒＋１），エネルギーウインドウ１（Ｎ＿Ｌ）のカウンタ２４には加算を行わない。
【００２８】
もし，同時と判定する一定の時間内（例えば５ｎｓｅｃのタイムウインドウ内）に近傍のチャンネル（近傍の検出器ピクセル９に係る読出し回路ブロック２０のコンパレータ２２）にてトリガが発生していた場合，それは同時イベントの発生であるので（ステップＳ３→Ｙｅｓ），カウンタ制御回路２３ｂは，その近傍のチャンネル（以下適宜「ピクセル」と呼ぶ）のエネルギーウインドウと自身のエネルギーウインドウを比較する。すなわち波高値を比較する（ステップＳ６）。自身のエネルギーウインドウが近傍のピクセルのエネルギーウインドウより高い場合（ステップＳ７→Ｙｅｓ），近傍のピクセルで発生したトリガは自身のイベントにより誘発されたものと考えられる。そのため，当該エネルギーウインドウが高い方のピクセルのカウンタ制御回路２３ｂは，自身に接続されているカウンタ２４を制御する。具体的には，当該ウンタ制御回路２３ｂは，ステップＳ８では同時計数のエネルギーウインドウに応じたカウンタ２４，ここでは同時計数のエネルギーウインドウ２のカウンタ２４を１つ進める（Ｃ＿Ｈ⇒＋１）。
【００２９】
一方，近傍のピクセルで発生したイベントの中にエネルギーウインドウが自身のエネルギーウインドウよりも高いエネルギーウインドウを持つピクセルが存在しない場合は（ステップＳ７→Ｎｏ），近傍のピクセルのエネルギーウインドウの方が自身よりも高いか（ステップＳ９→Ｎｏ），近傍のピクセルのエネルギーウインドウと自身のエネルギーウインドウが同じ（ステップＳ９→Ｙｅｓ）のいずれかである。
【００３０】
近傍のピクセルの波高値の方が高い場合，つまり自身と同じエネルギーウインドウのピクセルが近傍に存在しない場合（ステップＳ９→Ｎｏ），自身のトリガは近傍のピクセル（近傍の検出器ピクセル９）のイベントによって誘発されたイベントであると考えることができるため，カウンタ制御回路２３ｂは，自身に接続されているカウンタ２４についてはいずれのカウンタ２４も進めない（ステップＳ１０）。一方，近傍のピクセルとエネルギーウインドウが同じ場合は（ステップＳ９→Ｙｅｓ），同時イベントの主たる発生源を特定できない。そのため，カウンタ制御回路２３ｂは，同時計数のカウンタ２４を０．５だけ進める（ステップＳ１１）。ちなみに，このステップＳ９がＹｅｓの場合（つまり同じエネルギーウインドウのピクセルが存在する場合）は，エネルギーウインドウ（波高値）が低い値で同じとき（自身も近傍のピクセルもコンパレータ２２ａのみが出力するとき）とエネルギーウインドウが高い値で同じとき（自身も近傍のピクセルもコンパレータ２２ａもコンパレータ２２ｂも出力するとき）の２通りがある。前者の場合は同時計数のエネルギーウインドウ１のカウンタ２４に０．５を加算（Ｃ＿Ｌ⇒＋０．５）し，後者の場合は同時計数のエネルギーウインドウ２のカウンタ２４に０．５を加算（Ｃ＿Ｈ⇒＋０．５）する。つまり，カウンタ制御回路２３ｂは，カウンタ２４の増加の動作を制御する際に，カウント値の増加量を同時判定の結果に基づいて変更する。
【００３１】
なお，実際にはデジタル回路のカウンタ２４は０．５をカウントすることはできないため，同時計数のカウンタ２４には２倍した値が入るようにし，全てのカウントが終了した最後の処理でカウント値に０．５を乗算することで最終的なカウント値を取得する。ちなみに，ステップＳ８においてエネルギーウインドウ２のカウンタ２４について１加算（Ｃ＿Ｈ⇒＋１）すると記載しているが，ステップＳ１１と整合をとるためにステップＳ８でも２倍した値が入るようにする。つまり同時イベントありの場合（ステップＳ３→Ｙｅｓの場合），ステップＳ８でカウンタ２４を進めるときも，ステップＳ１１でカウンタ２４を進めるときも２倍の値で進め，最後に半分にする。
【００３２】
ちなみに，前記したタイムウインドウの幅は検出器１０や読出し回路ブロック２０の応答特性などを考慮して定められ，この例ではタイムウインドウを一例として５ｎｓｅｃとしているが，タイムウインドウを広くすると偶発同時計数が増える傾向になる。なお，放射線（Ｘ線）の入射レートを高めた場合，タイムウインドウが狭い方が，偶発的同時計数が減って好ましいが，タイムウインドウを狭くすると，前記のようにトリガの発生時間の揺らぎの影響が大きくなる。これらの点を考慮して，タイムウインドウは３〜１０ｎｓｅｃの範囲内で設定するのが好ましい。前記の５ｎｓｅｃというタイムウインドウの値は，この３〜１０ｎｓｅｃの範囲内である。
【００３３】
次に，実際の処理の例を図６および図７を用いて説明する。図６は検出器ピクセル９が平面上に並んでいる状態（格子状配列）の一部を模式的に示している。図の例では，検出器１０は検出器ピクセル９が横方向に６個，縦方向に５個，格子状に並んでいる。１つの検出器ピクセル９が１つのピクセル（さらには読出し回路ブロック２０）に対応するので，図６（および図７）の例では，検出器１０は３０ピクセル（＝６×５ピクセル）の検出器ピクセル９を備えている。図６では４つの個別のＸ線が入射し，それぞれのピクセルにイベントとして記録される。図中のＥＷはエネルギーウインドウを示しており，「Ｅ＝」で示される数値が大きいほど高いエネルギーを計測したことを示している。例えばＸ線イベント１００Ａは１つのピクセルにエネルギーウインドウ１（ＥＷ＝１）のトリガを発生させる。Ｘ線イベント１００Ｂはエネルギーウインドウ２（ＥＷ＝２）のイベントが１つ，Ｘ線イベント１００Ｃではエネルギーウインドウ２（ＥＷ＝２）のイベントを２つ，Ｘ線イベント１００Ｄは１つのピクセルにエネルギーウインドウ２（ＥＷ＝２）のイベントともう１つのピクセルにエネルギーウインドウ１（ＥＷ＝１）のイベントを発生させる。
【００３４】
図７は図６に対応した処理後の各カウンタの増加量を示したものである。ここで「近傍」について説明する。「近傍」とは，例えば同時計測判定の対象となるピクセルを含む範囲をいう。図６・図７の本実施例では近傍のピクセル（検出器ピクセル９）を自身のピクセルの上下左右の４ピクセルとしている。検出器内の散乱によるイベントの多くは隣接したピクセルでおきるため，ピクセルの辺を共有する４つのピクセルを判定対象とする方が望ましい。これは同時計測判定の対象となるピクセルが増加すると回路規模（読出し回路ブロック２０の数）が増大するほか，偶発同時計数などにより誤ったイベントが発生し易くなるためである。なお，検出器ピクセル９がより微細化すると，斜めを含む８ピクセルや，２ないし，３ピクセル離れたピクセルを含むところまで「近傍」の範囲を広げることが望ましい。
【００３５】
図７において，（１）Ｘ線イベント１００Ａは低エネルギーのエネルギーウインドウ１のイベントのみを計測しており，近傍のピクセルでイベントが計測されていない。そのため，非同時計数（Non-Coincidence）のエネルギーウインドウ１のカウンタ２４を１増加させる（Ｎ＿Ｌ⇒＋１）。なお，図７中では「ＥＷ＝１  Ｎ＋１」と記載している。（２）同様にＸ線イベント１００Ｂの場合，高エネルギーのエネルギーウインドウ２のイベントのみを計測しており，非同時計数（Non-Coincidence）のエネルギーウインドウ２のカウンタを１増加させる（Ｎ＿Ｈ⇒＋１）。なお，図７中では「ＥＷ＝２  Ｎ＋１」と記載している。
【００３６】
また，（３）Ｘ線イベント１００Ｃは２つのピクセルに信号が分割されている。左側のピクセルの回路（読出し回路ブロック２０）では自身と右側のピクセルのエネルギーウインドウを比較し，自身と同じ程度のエネルギーのイベントしか存在しないことから同時計数（Coincidence）のカウンタを０．５だけ増加させる（Ｃ＿Ｈ⇒＋０．５）。なお，図７中では「ＥＷ＝２  Ｃ＋０．５」と記載している。一方，右側のピクセルの回路（読出し回路ブロック２０）でも同様の処理が行われる。右側のピクセルにおいても近傍のピクセルとの比較を行うが，この場合は右側も左側のピクセルと同じエネルギーウインドウのイベントのため，同時計数（Coincidence）カウンタを０．５増加させる（Ｃ＿Ｈ⇒＋０．５）。なお，図７中では「ＥＷ＝２  Ｃ＋０．５」と記載している。（４）Ｘ線イベント１００Ｄの場合，左側のピクセルでは自身と右側のピクセルのエネルギーウインドウを比較し，右側のエネルギーウインドウが高いために，左側のピクセルでは同時計数のカウンタ２４の増加を行わない。なお，図７中では「−」と記載している。一方で右側のピクセルでは自身のエネルギーウインドウが高いため，自身のエネルギーウインドウである２の同時計数のカウンタ２４を１増加させる（Ｃ＿Ｈ⇒＋１）。なお，図７中では「ＥＷ＝２  Ｃ＋１」と記載している。
【００３７】
このように第１実施例では隣接するピクセルの条件分岐は独立に行いながら処理を実施する。これにより単純なカウントでは２つとして計測されてしまうイベントを１つとしてカウントすることが可能になる。また，高い方のエネルギーのみを用いるので誘起電荷による誤検出を避けることが可能になる。もちろん，１つのＸ線イベントが３つ以上のピクセルにわたって計測されてしまうこともあるが，３つ以上に分割された場合は個々のピクセルの波高値（エネルギーウインドウ）が下がるため閾値を超える可能性が低く，全割合の数％以下であるため，本処理手法で処理しても大きな問題を起こさない。
【００３８】
このようにしてある時間内に検出器パネル７に入射したＸ線の数の情報を取得することができる。データ処理装置２ではこれらのデータを用いて画像再構成を実施する。検出器パネル７から得られたデータはエネルギーウインドウごとのカウントが，１つの検出器ピクセル９内で反応し同時計数を起こさなかったもの（非同時計数）と，２つ以上の検出器ピクセル９に分割され同時計数として検出されたもの（同時計数）の２種類が存在する。このうち，同時計数を起こさなかった非同時計数のカウント値は真のエネルギーに基づいており，画像再構成において主要なデータとして用いる。
【００３９】
一方，同時計数のカウントについてはエネルギーが正確ではなく，低エネルギー側にシフトしている。特定のエネルギースペクトルを持ったＸ線が入射したときに同時計数を起こしたイベントのエネルギースペクトルがどのように変化するかをあらかじめ測定しておき，そのデータをもとに同時計数のカウント値を補正する。この補正されたデータを非同時計数のカウント値に加えることで計測誤差を抑えつつ統計精度の高いデータを取得することができる。また，同時計数で２つのピクセルにエネルギーの高低がある場合，エネルギーが高い方のピクセル（検出器ピクセル９）にＸ線が入射したものとして入射位置を仮定し，エネルギーについては両ピクセルの値を加算し，イベントが発生した位置とイベントのエネルギーを決定するようにしてもよい。
【００４０】
また，例えば同時計数と非同時計数のカウント値から両者を総和したカウント値をピクセルごとに求めることとし，この総和の際に，同時計数のカウント値と非同時計数のカウント値の重みを異なるものとする。前記したように，非同時計数のカウント値は真のエネルギーに基づいていることから非同時計数のカウント値に乗算する重みを１とするならば，同時計数のカウント値に乗算する重みを１未満の値とする。そして，総和したカウント値（つまり非同時計数のカウント値を補正したもの）をもとに画像再構成を行う。ちなみに，同時計数のカウント値に１未満の重みを乗算するのではなく，非同時計数のカウント値に１よりも大きな重みを乗算することでもよい。なお，同時計数のカウントに１未満の重みを乗算するとは，非同時計数のカウンタのカウント値の重みを増すと同じ意味である。
【００４１】
以上，第１実施例では，検出器ピクセル９のカウント値を増加させる際，当該検出器ピクセル９の近傍の他の検出器ピクセル９において同時にＸ線（放射線）が検出されたか否かを判定する同時判定回路２３ａを備え，カウンタ制御回路２３ｂがその判定結果に基づき放射線のカウントを行うカウンタ２４を非同時用と同時用とで切り替える。そして，典型的には，非同時用のカウンタ２４のカウント値を主に，同時用のカウンタのカウンタ値に関しては補正を実施してから画像再構成用のデータに用いる。本実施例のフォトカウンティングＸ線ＣＴ装置Ｓによれば，検出器ピクセル９の微細化に良好に対応可能であり，回路デッドタイムの低減も可能である。また，回路当たりの消費電力の削減も可能である。また，特性Ｘ線の発生やコンプトン散乱などにより複数の検出器ピクセル９に分割してエネルギーが検出される現象や，Ｘ線により発生した電子雲が２つの検出器ピクセル９にまたがるチャージシェアリングや誘起電荷などに適切に対応することができる。
【００４２】
＜第２実施例＞
次に，図８を用いて第２実施例について説明する。第２実施例は読出し回路ブロック２０の外に同時判定回路２３ａを持つことが第１実施例とは異なる。すなわち第１実施例では，同時判定は各読出し回路ブロック２０（例えば制御回路２３）内において同時判定回路２３ａが実施しているが，本実施例では同時判定を読出し回路ブロック２０の外部に置かれた同時判定回路２３ａにおいて行う。
【００４３】
すなわち読出し回路ブロック２０はチャージアンプ２１とコンパレータ２２（エネルギー計測回路）とカウンタ２４とカウンタ制御回路２３ｂとを含んで構成され，この読出し回路ブロック２０は検出器ピクセル９の個々に対応して備わっている。また，同時判定回路２３ａはピクセル間（読出し回路ブロック２０間）に配置されており，２つ（複数）のピクセル（読出し回路ブロック２０）のそれぞれのコンパレータ２２に接続されている。また，同時判定回路２３ａは接続されるコンパレータ２２を含む読出し回路ブロック２０内のカウンタ制御回路２３ｂに接続されている。同時判定回路２３ａは一定時間内（タイムウインドウ内）に２つの検出器ピクセル９で同時にイベントが発生したか否かの情報と，エネルギーウインドウが等しいか，大きいか，小さいかの情報をカウンタ制御回路２３ｂに渡す。カウンタ制御回路２３ｂでは複数の同時判定回路２３ａからの信号をもとにカウンタ２４の制御を実施する。この本実施例は２つ（複数）のピクセル間の同時判定を１つの回路で行っており，個々に同時判定を実施する実施例１の構成と比べると回路規模を減らすことができるほか，タイムウインドウの誤差により同時判定の判断が異なってしまうといった問題を回避することが可能である。
【００４４】
＜第３実施例＞
図９を用いて第３実施例について説明する。第３実施例は同時判定回路２３ａにもカウンタ２７が接続されている他，カウンタ制御回路２３ｂに接続されるカウンタ２４の種類が増加している点が前記の第１，第２実施例とは異なる。Ｘ線ＣＴ装置Ｓでは検出器ピクセル９でのＸ線の検出数が非常に多く，数十から数百Ｍｃｐｓのイベントを処理する必要がある。このような高計数率下の状態で同時判定を行った場合，１つのＸ線が２つにわかれたものだけではなく（図６や図７に示されたものだけでなく），偶然同時に検出されてしまう偶発同時計数という現象が発生する。
【００４５】
本実施例では偶発同時計数を補正する手段を備える面で前記の第１，第２実施例と異なる。偶発同時計数が起きると本来の２つのイベントが１つのイベントとして計測されてしまう。本実施例ではカウンタ制御回路２３ｂが制御するカウンタ２４に同時，非同時関係なくカウントを増加させる単純カウンタ（単純計数のカウンタ）をカウンタ２４に加える。画像再構成ではエネルギースペクトルと計数率をパラーメータとして同時計数のカウンタ２４，非同時計数のカウンタ２４，単純計数のカウンタ２４のカウント値がいくつになるかを計算しておき，その逆計算を行うことで正しいエネルギースペクトルと計数率を推定することが可能である。
【００４６】
ちなみに，図９において枠内に単に「Ｌ」「Ｈ」と記載されているのが単純計数のカウンタ２４である。他のカウンタ２４（非同時計数のカウンタ２４と同時計数のカウンタ２４）が同時判定の結果に応じていずれかに値を加算するのに対して，単純計数のカウンタ２４は同時判定の結果を参照しないで単純に値を増加させる。
【００４７】
また，図９に示されるとおり本実施例では同時計数のカウンタをカウンタ２７として同時判定回路２３ａにも接続する。この同時計数のカウンタ２７はピクセル間の同時イベントを計数する。補足すると，この同時計数のカウンタ２７は読出し回路ブロック２０の組合せごと（検出器ピクセル９の組合せごと）に備わる。なお，図示は省略しているが，このカウンタ２７はエネルギーウインドウごとに３種のカウンタを持っており，片側のピクセルがもう一方よりも高い時にカウントするカウンタが２つと，両方のエネルギーウインドウが等しい時にカウントするカウンタが１つ，計３つからなる。つまり，一方のピクセルと他方のピクセルにおいて，カウンタ２７は，一方が高い場合，両方が等しい場合，一方が低い場合のカウンタを備えている。
【００４８】
なお，Ｘ線ＣＴにおいては被検者５の体内で発生する散乱線を除去するために，斜め方向から検出器ピクセル９に入射するＸ線を遮るコリメータが設けられている。コリメータはタングステンなどのＸ線の阻止能が高い物質にてスリットを形成したものである。この散乱線除去のコリメータのため，検出器において一部Ｘ線が照射されない領域が生じる。本実施例ではピクセルの境界（検出器ピクセル９同士の間）にこのＸ線が照射されない位置が一致するようにコリメータを配置する。スリットの間隔よりもピクセルのピッチが細かいためスリット間に２〜４ピクセルの検出器ピクセル９が配置される。スリットの間隔と検出器ピクセル９のピッチは整数倍の比率になるようにすることが望ましい。コリメータの影となる部分ではピクセルの境界で反応するＸ線が減るために２つのイベントに分割される割合がコリメータの陰にならない部分に比べて減少する。本実施形態ではコリメータの影となる部分を含むピクセルと含まないピクセルのカウント値を用いて偶発同時計数の割合を推定し，真のカウント値を求める。この真のカウント値から画像再構成を実施する。すなわち，同時計数のカウンタ２４（２７）のうち，コリメータの影の部分とそれ以外の部分の計数を分離して集計し，計数率の誤差を補正する。
【００４９】
ちなみに，図６（図７）では一例として検出器ピクセル９が５×６マトリックスに配置された検出器１０を示しているが，各検出器ピクセル９にはアドレスが付されて各位置を一意に特定可能である。そして各検出器ピクセル９のうちどの検出器ピクセル９がコリメータの陰になるかが特定可能である。
【００５０】
なお，図９ではカウンタ制御回路２３ｂにカウンタ２４が６つ接続されている例を示しているが，カウンタ制御回路２３ｂには４つのカウンタ２４（非同時計数のカウンタ２４が２つ，単純計数のカウンタ２４が２つ）が接続されているものとし，一方，同時判定回路２３ａに同時計数のカウンタ２７が所定数接続されているものとしてもよい。
【００５１】
＜その他１＞
前記した実施例では，検出器１０（検出器ピクセル９）内での散乱などによって１つのＸ線イベントが３つ以上のピクセルにわたって計測（分割して計測）されてしまう場合について，このような場合は個々のピクセルでの波高値が低下するため（つまりエネルギーウインドウが低下するため），そのようなＸ線イベントについての処理を省略することとした。換言すると，同時判定回路２３ａにおける同時判定は２つのピクセルでの同時であることを前提に，自身のピクセルと同じエネルギーウインドウのピクセルが近傍にもう１つ存在する同時判定の場合（ステップＳ９→Ｙｅｓの場合）は，カウンタ制御回路２３ｂは同時計数のカウンタ２４に０．５を加算していた。しかし，ピクセルのサイズがさらに微細化された場合，１つのＸ線イベントが３つ以上のピクセルにわたって計測されることも増えてくると考えられる。この場合，同時判定回路２３ａにおける同時判定のピクセル数（同時と判定されたピクセル数）を計算し，加算するカウント値が同時判定のピクセル数に応じたものとなるように，カウンタ制御回路２３ｂが同時計数のカウンタ２４の制御を行う構成とする。具体的には，図５のフローチャートにおいて，自身のピクセルの近傍に自身と同じエネルギーウインドウのピクセルが１つ存在する場合（自身を含めて２つ存在する場合）（ステップＳ９参照），ステップＳ１１では同時計数のカウンタ２４に１／２＝０．５を加算する。一方，自身のピクセルの近傍に自身と同じエネルギーウインドウのピクセルが２つ存在する場合（自身を含めて３つ存在する場合）（ステップＳ９参照），ステップＳ１１では同時計数のカウンタ２４に１／３＝０．３３を加算する。
【００５２】
つまり，カウンタ制御回路２３ｂは，同時判定のピクセル数（同じエネルギーウインドウのピクセル数）に応じたカウント値を同時計数のカウンタ２４に加算する。換言すると，カウンタ制御回路２３ｂは，カウンタ２４におけるカウント値の増加量を，同時判定回路２３ａの判定結果に基づいて変更する。さらに換言すると，カウンタ制御回路２３ｂは，同時判定のピクセル数（同じエネルギーウインドウのピクセル数）の逆数となる重みによりカウント値の増加量を算出する。なお，前記したように，１つのＸ線イベントが３つ以上のピクセルにわたって計測されてしまう場合は，個々のピクセルでのエネルギーウインドウ（波高値）が低下することになる。このため，このような同時判定の処理は，コンパレータ２２の数をさらに増やしてエネルギーウインドウを細分化した上で行うとよい（前記の実施例ではエネルギーウインドウは高低２つである）。
【００５３】
ちなみに，カウンタ２４が整数値の加算を行うものであるならば，例えばカウント値の増加量を１００倍して加算して，最後に１００で割ればよい。例えば，カウント値の増加量が０．５の場合は５０を，カウント値の増加量が０．３３の場合は３３を同時判定のカウンタ２４に加算し，最後に１００で割ればよい。また，このような処理を行う場合，「近傍」の範囲に関して，斜めを含む８ピクセルや，２ないし，３ピクセル離れたピクセルを含むところまで近傍の範囲を広げることが望ましい。なお，このように近傍の範囲を広げた場合，同時判定回路２３ａは広げた近傍の範囲に属するピクセルのコンパレータ２２（２２ａ，２２ｂ）と接続されることとなる（図４参照）。
【００５４】
＜その他２＞
以上説明した本発明は上記した実施例（第１〜第３実施例）のみに限定されるものではなく，発明の本質的な効果を奏する範囲で様々な変形例が含まれる。例えば上記した実施例は，本発明を分かりやすく説明するために詳細に説明したものであり，必ずしも説明した全ての構成を備えるものに限定されるものではない。また，ある実施例の構成の一部を他の実施例の構成に置き換えることが当然可能であり，ある実施例の構成に他の実施例の構成を加えることも当然可能である。また，各実施例の構成の一部について，他の構成の追加・削除・置換をすることも可能である。
【００５５】
各実施例において，制御線や情報線は，説明上必要と考えられるものを示しており，製品上必ずしも全ての制御線や情報線を示しているとは限らない。実際には，殆ど全ての構成が相互に接続されていると考えてもよい。また，各処理はハードウエア的に行われてもソフトウェア的に行われてもよい。また，ガンマ線の検出に本発明を適用してもよい。例えば放射性の薬剤によって被検者５の体内から放出される放射線（ガンマ線）を検出（計数）するのに（つまり核医学診断装置に），本発明を適用してもよい。
【符号の説明】
【００５６】
Ｓ  Ｘ線ＣＴ装置（放射線撮像装置）
１  ガントリ
２  データ収集装置
３  画像表示装置
４  ベッド
５  被検者
６  Ｘ線管
７  検出器パネル
８  検出器モジュール
９  検出器ピクセル
１０  検出器（放射線検出器）
１１  ＡＳＩＣ（放射線計数装置）
１２  保持基板
２０  読出し回路ブロック（計測回路）
２１  チャージアンプ
２２  コンパレータ（計測回路）
２２ａ  （閾値が低い）コンパレータ
２２ｂ  （閾値が高い）コンパレータ
２３  制御回路
２３ａ  同時判定回路
２３ｂ  カウンタ制御回路
２４  カウンタ
２５  データ制御回路
２７  カウンタ（第３実施例）
１００Ａ，１００Ｂ，１００Ｃ，１００Ｄ  Ｘ線イベント
【図１】
2016158501.tif 000003
【図２】
2016158501.tif 000004
【図３】
2016158501.tif 000005
【図４】
2016158501.tif 000006
【図５】
2016158501.tif 000007
【図６】
2016158501.tif 000008
【図７】
2016158501.tif 000009
【図８】
2016158501.tif 000010
【図９】
2016158501.tif 000011
【国際調査報告】
2016158501.tif 000012
2016158501.tif 000013
2016158501.tif 000014
2016158501.tif 000015